(57)【要約】【課題】製作容易な幟材を使用して簡単に幟を形成することが可能であって、幟材の取り替えも容易に行うことができる、幟材ケースおよびこれを用いた幟を提供する。【解決手段】幟材ケース１は、透明で柔軟な合成樹脂シート材で形成された袋状の幟材収容部２と、この幟材収容部２の片方の側縁に沿って同じく透明で柔軟な合成樹脂シート材で形成された袋状の支柱挿入部３とを備えている。幟材収容部２の平面形状は長方形であり、支柱挿入部３の平面形状は細長い長方形である。幟材収容部２の開口部と、支柱挿入部３の開口部とは互いに１８０度隔てた反対位置に配置されている。袋状の幟材収容部２の開口部から幟材４を差し込み、袋状の支柱挿入部３の開口部から支柱５を挿入することによって、幟６を形成することができる。幟材４は、紙材の片面に絵柄４ａや文字などを印刷したものを２つ折りにして形成している。【選択図】  図４
2005141097.tif 000002
【特許請求の範囲】
【請求項１】
透光性を有するシート材または網状体で形成された筒状または袋状の幟材収容部と、前記幟材収容部の周縁の一部に沿って形成された筒状または袋状の支柱挿入部とを備えたことを特徴とする幟材ケース。
【請求項２】
袋状の前記幟材収容部の開口部と、袋状の前記支柱挿入部の開口部とを互いに１８０度隔てた反対位置に配置した請求項１記載の幟材ケース。
【請求項３】
請求項１または２に記載の幟材ケースと、前記幟材ケースの幟材収容部に出し入れ可能に収容された幟材と、前記幟材ケースの支柱挿入部に出し入れ可能に挿入された支柱とを備えたことを特徴とする幟。
【発明の詳細な説明】
【技術分野】
【０００１】
本発明は、パチンコ店やスロット店などの遊技場、量販店、小売店、百貨店あるいは飲食店などにおける宣伝広告媒体として用いられる幟に関する。
【背景技術】
【０００２】
パチンコ店やスロット店などの遊技場では、新たな遊技台の宣伝用、キャンペーン用として、例えば、図６に示すような幟８０が使用されることがある。このような幟８０は、柔軟な布材やシート材で形成された幟材８１と、幟材８１の上縁部および一方の側縁部に設けられた複数のリング状の係止部材８２，８３と、係止部材８３に挿通された支柱８４と、係止部材８２に挿通されるとともに支柱８４の上端部に直角方向に固定された横竿８５とで構成されている。
【０００３】
そして、パチンコ店などに配列された遊技台の上部壁面８６に固定された取り付け部材８７に、幟８０の支柱８４の下端部分を係合させることによって、支柱８４が若干傾斜した状態で保持されている。このような幟８０は、通常、パチンコ店やスロット店などに配列されている遊技台の隣接部分に１本ずつ取り付けられているため、その配置本数は多大なものとなっている。
【０００４】
一方、従来の幟として、幟材（幟本体部）をリング状の係止部材（チチ輪）を用いることなく支柱および横竿に取り付けたもの（例えば、特許文献１参照。）がある。また、風雨による傷みや日光による日焼けを防止するため、支柱および横竿とともに幟材を保護するカバーが提案されている（例えば、特許文献２参照。）。
【０００５】
【特許文献１】特開２００１−５４１８号公報（第２−６頁）
【特許文献２】実用新案登録第３０７０１２３号公報（第２−５頁）
【発明の開示】
【発明が解決しようとする課題】
【０００６】
図６で示した幟８０をパチンコ店やスロット店などの遊技店に配置する場合、幟材８１に表示されている絵柄や文字などは、その店に配列されている遊技台の種類やキャンペーン内容と対応している。したがって、遊技台の新台入れ替えが行われたり、新たなキャンペーンが開始されたりする場合、配置されている幟材８１を取り替える必要がある。
【０００７】
この場合、幟８０を構成する幟材８１のみを取り替えれば良いのであるが、リング状の係止部材８２，８３から支柱８４および横竿８５を抜き取って幟材８１と分離した後、新たな幟材の係止部材に支柱および横竿を挿入して再び幟を組み立てる作業は極めて煩雑である。このため、支柱８４、横竿８５および幟材８１を含んだ幟８０全体の取り替えが行われているのが実状である。
【０００８】
したがって、取り替え作業のたびに回収される使用済みの幟８０は膨大な本数となり、廃棄処分に多くの手間を要するだけでなく、資源の無駄にもなっている。また、新たな幟材８１を製作する場合、その側縁部および上縁部に複数のリング状の係止部材を配設しなければならないので、幟材自体の製作にも多くの労力と資材が費やされている。
【０００９】
そこで、特許文献１に記載されている幟を使用すれば、幟材の製作に要する労力および資材は若干軽減されることが予測されるが、幟材に形成された複数の旗竿通し穴部に支柱および横竿を挿通する作業は回避することができない。したがって、幟材のみの取り替え作業には多くの労力と時間とを必要とする。そのほか、ラミネート加工を施した幟材を支柱および横竿に取り付けた幟も使用されているが、幟材の製作には手間がかかり、幟材のみの取り替えは困難である。
【００１０】
一方、特許文献２に記載されている幟のカバーは、横棒付きポールに取り付けられる宣伝用の幟が、風で巻きあがったり、傷んだりするのを防止することはできるが、幟材の取り替え作業を軽減することはできない。
【００１１】
本発明が解決しようとする課題は、製作容易な幟材を使用して簡単に幟を形成することが可能であって、幟材の取り替えも容易に行うことができる、幟材ケースおよびこれを用いた幟を提供することにある。
【課題を解決するための手段】
【００１２】
本発明の幟材ケースは、透光性を有するシート材または網状体で形成された筒状または袋状の幟材収容部と、この幟材収容部の周縁の一部に沿って形成された筒状または袋状の支柱挿入部とを備えたことを特徴とする。
【００１３】
このような構成とすれば、筒状または袋状の幟材収容部に幟材を収容し、筒状または袋状の支柱挿入部に支柱を挿入することによって幟を形成することが可能となる。この場合、幟材にリング状の係止部材や旗竿通し穴部などを設けたり、幟材を直接支柱に係止したりする必要がないので、極めて簡素な形状で製作容易な幟材を使用して簡単に幟を形成することができる。
【００１４】
また、幟材に表示されている絵柄や文字などは透光性を有するシート材または網状体で形成された幟材収容部を通して外から見ることができるので、従来の幟と同様の機能、効果を発揮する。さらに、筒状または袋状の幟材収容部から幟材を抜き取って新たな幟材を入れるだけで幟材の取り替えができるので、幟材のみの取り替えも容易に行うことができる。なお、透光性を有するシート材または網状体としては、柔軟なもの、硬質のもののいずれも使用することができる。
【００１５】
ここで、袋状の幟材収容部の開口部と、袋状の支柱挿入部の開口部とを互いに１８０度隔てた反対位置に配置することが望ましい。このような構成とすれば、幟材収容部の開口部から幟材を入れ、支柱挿入部の開口部から支柱を挿入して幟を形成した後、支柱を起立させれば、幟材の下縁部分は袋状の幟材収容部の底部に当接し、支柱の上端部は支柱挿入部の底部に当接した状態となる。このため、幟材が幟材収容部から脱落したり、幟材ケースが支柱に沿ってずり下がったりすることがなくなり、幟としての形状を安定保持することができる。
【００１６】
次に、本発明の幟は、前述した幟材ケースと、この幟材ケースの幟材収容部に出し入れ可能に収容された幟材と、この幟ケースの支柱挿入部に出し入れ可能に挿入された支柱とを備えたことを特徴とする。このような構成とすれば、前述した幟材ケースの機能により、製作容易な幟材を使用して簡単に幟を形成することが可能となり、幟材の取り替えも容易に行うことができるようになる。
【発明の効果】
【００１７】
本発明により、以下に示す効果を奏することができる。
【００１８】
（１）透光性を有するシート材または網状体で形成された筒状または袋状の幟材収容部と、この幟材収容部の周縁の一部に沿って形成された筒状または袋状の支柱挿入部とを備えたことにより、製作容易な幟材を使用して簡単に幟を形成することが可能となり、幟材の取り替えも容易に行うことができるようになる。
【００１９】
（２）袋状の幟材収容部の開口部と、袋状の支柱挿入部の開口部とを互いに１８０度隔てた反対位置に配置すれば、幟材が幟材収容部から脱落したり、幟材ケースが支柱に沿ってずり下がったりすることのない、安定性に優れた幟を形成することができるようになる。
【００２０】
（３）前記（１）または（２）に記載の幟材ケースと、この幟材ケースの幟材収容部に出し入れ可能に収容された幟材と、この幟ケースの支柱挿入部に出し入れ可能に挿入された支柱とを備えたことにより、製作容易な幟材を使用して簡単に幟を形成することが可能となり、幟材の取り替えも容易に行うことができるようになる。
【発明を実施するための最良の形態】
【００２１】
以下、図面に基づいて、本発明の実施の形態について説明する。図１は本発明の実施の形態である幟材ケースを示す斜視図であり、図２は図１に示す幟材ケースを用いて幟を形成している状態を示す斜視図であり、図３は図１に示す幟材ケースを用いて形成した幟を示す斜視図であり、図４は図３に示す幟の使用状態を示す斜視図である。
【００２２】
図１に示すように、本実施形態の幟材ケース１は、透明で柔軟な合成樹脂シート材で形成された袋状の幟材収容部２と、この幟材収容部２の片方の側縁に沿って同じく透明で柔軟な合成樹脂シート材で形成された袋状の支柱挿入部３とを備えている。幟材収容部２の平面形状は長方形であり、支柱挿入部３の平面形状は細長い長方形である。幟材収容部２の開口部２ａと、支柱挿入部３の開口部３ａとは互いに１８０度隔てた反対位置に配置されている。このため、幟材収容部２の開口部２ａと支柱挿入部３の底部３ｂとが並んで位置し、幟材収容部２の底部２ｂと支柱挿入部３の開口部３ａとが並んで位置している。
【００２３】
幟材ケース１の製造方法は特に限定するものではないが、本実施形態においては、透明で柔軟な合成樹脂シート材を２枚重ね合わせ、溶着装置を用いてこれら２枚の合成樹脂シート材を溶着部Ｍで貼着することによって幟材ケース１を形成している。このため、幟材ケース１は容易に製造することができる。
【００２４】
図２に示すように、袋状の幟材収容部２の開口部２ａから幟材４を差し込み、袋状の支柱挿入部３の開口部３ａから支柱５を挿入すれば、図３に示すような幟６を形成することができる。幟材収容部２および支柱挿入部３はいずれも柔軟な合成樹脂シート材で形成されており、軽く力を加えれば開口部２ａ，３ａを円形状に拡げることが可能であるため、幟材４を差し込んだり、支柱５を挿入したりする場合の作業性も良好である。
【００２５】
また、幟材４は紙材の片面に絵柄４ａや文字などを印刷したものを２つ折りにして形成したものであるため、その製作は極めて容易である。幟６を形成する場合、幟材４にリング状の係止部材や旗竿通し穴部などを設けたり、幟材４を支柱５に直接係止したりする必要がないので、極めて簡素な形状の幟材４を使用して、簡単に幟６を形成することができる。
【００２６】
また、幟材４に表示されている絵柄４ａや文字などは透光性を有する合成樹脂シートで形成された幟材収容部２を通して外から見ることができるので、従来の幟と同様の機能、効果を発揮する。したがって、図４に示すように、遊技台の上部壁面７に固定された取り付け部材８に幟６の支柱５の下端部分を係合させ、支柱５が若干傾斜した状態で配置するような使い方をすることができる。
【００２７】
さらに、袋状の幟材収容部２の開口部２ａから幟材４を抜き取って、新たな幟材４を入れるだけで幟材４の取り替えができるので、幟材４のみの取り替えも容易に行うことができる。このため、遊技場における新台入れ替えやキャンペーン内容の変更に伴う幟材４の取り替えにも迅速に対応することができる。
【００２８】
また、幟材４のみの取り替えが可能となったことにより、図６で示した従来の幟８０と異なり、幟材ケース１および支柱５は容易に再利用することができるようになり、取り替え作業に伴って生じる廃棄物は紙製の幟材４のみとなる。このため、廃棄物処分の手間を削減することができ、資源の浪費を回避することができる。
【００２９】
なお、天候、気温、湿度などの影響によっては、幟材ケース１の幟材収容部２内に湿気が籠もって透明な合成樹脂シート材の内面が結露で曇ることも予測される。このような場合、幟材収容部２を構成する透明な合成樹脂シート材に予め通気孔を設けておけば、幟材収容部２と外部との通気性が確保され、湿気による曇りを防止することができる。また、幟材４を耐水性素材で形成するとともに、幟材収容部２の底部２ｂに排水用の貫通孔を設けておけば、雨水で濡れる可能性のある屋外での使用も可能となり、雨水が幟材収容部２内に溜まるのを回避することができる。
【００３０】
また、幟材ケース１においては、前述したように、幟材収容部２の開口部２ａと、支柱挿入部３の開口部３ａとが互いに１８０度隔てた反対位置に配置されている。従って、図３に示す幟６を形成した後、支柱５を起立させたとき、幟材４の下縁部分は幟材収容部２の底部２ｂに当接し、支柱５の上端部は支柱挿入部３の底部３ｂに当接した状態となる。このため、幟材４が幟材収容部２から脱落したり、幟材ケース１が支柱５に沿ってずり下がったりすることがなくなり、幟としての形状を安定保持することができる。
【００３１】
本実施形態の幟６においては、幟材ケース１の幟材収容部２の平面形状を、Ａ４サイズの紙を長手方向の中心線で２つ折りにした形状としている。このため、一般に市販されているＡ４サイズの紙材の片面に絵柄や文字などを印刷して、長手方向の中心線で２つ折りにするだけで簡単に幟材４を形成することができる。また、Ａ４サイズの紙材への印刷はパソコンのプリンタなどを利用して一般のオフィスなどで簡単に行うことができるので、この点においても幟材４の製作は極めて容易である。なお、幟材ケース１のサイズや形状は、本実施形態のものに限定しないので、幟の使用目的、設置場所などに応じて任意のサイズ、形状にすることができる。
【００３２】
また、本実施形態においては袋状の幟材収容部２を透明な合成樹脂シート材で形成しているが、これに限定するものではないので、透光性を有する網状体で幟材収容部２を形成することもできる。幟材収容部２を網状体で形成すれば、通気性、排水性をもたせることができるので、幟材４を耐水性素材で形成しておけば、雨水で濡れる可能性のある屋外での使用も可能となる。また、幟材収容部２を形成する合成樹脂シート材は柔軟な素材であるが、必要に応じて、風などによって容易に曲がらない程度の硬質の透明素材を用いることもできる。
【００３３】
次に、図５を参照して、本発明のその他の実施の形態について説明する。図５はその他の実施形態である幟１０を示す斜視図である。なお、幟１０の構成部分において前述した幟６の構成部分と同じ機能、効果を発揮する部分については図１〜図４と同じ符号を付して説明を省略する。
【００３４】
本実施形態の幟１０を構成する幟材ケース１１は、透明な合成樹脂シート材で形成された筒状の幟材収容部１２と、この幟材収容部１２の片方の側縁に沿って形成された筒状の支柱挿入部１３とを備えている。幟材ケース１１の幟材収容部１２に幟材４が収容され、支柱挿入部１３に支柱１５が挿入されている。また、支柱１５において、支柱挿入部１３の下端部が位置する部分には鍔状のストッパ１５ａが設けられている。
【００３５】
幟材ケース１１の幟材収容部１２および支柱挿入部１３はそれぞれ上下端部が開口しているため、両方の開口部１２ａまたは開口部１３ａ，１３ｂからそれぞれ幟材４または支柱１５を差し込むことができる。なお、幟材収容部１２に収容された紙製の幟材４は幟材収容部１２を形成する合成樹脂シートの自然帯電による静電気で吸着され、合成樹脂シートと幟材４との間には摩擦力も生じているため、筒状の幟材収容部１２から幟材４が脱落することはない。また、支柱挿入部１３の下端側の開口部１３ｂは支柱１５のストッパ１５ａに当接した位置から下がることはないので、幟ケース１１が支柱１５に沿ってずり下がることもない。
【００３６】
このように、幟材ケース１１においては、幟材収容部１２および支柱挿入部１３に底部を形成する必要がないため、溶着部Ｍを減らすことができ、製作工程の簡素化を図ることができる。また、長手方向に連続した筒状の幟材収容部１２および支柱挿入部１３を有する長尺材を形成し、適切な長さで切断していくことによって幟材ケース１１を製作することも可能となるため、製作工程の大幅な合理化を図ることもできる。
【産業上の利用可能性】
【００３７】
本発明の幟材ケースおよび幟は、パチンコ店やスロット店などの遊技場、量販店、小売店、百貨店あるいは飲食店などにおける宣伝広告媒体として広く使用することができる。
【図面の簡単な説明】
【００３８】
【図１】本発明の実施の形態である幟材ケースを示す斜視図である。
【図２】図１に示す幟材ケースを用いて幟を形成している状態を示す斜視図である。
【図３】図１に示す幟材ケースを用いて形成した幟を示す斜視図である。
【図４】図３に示す幟の使用状態を示す斜視図である。
【図５】その他の実施形態である幟を示す斜視図である。
【図６】従来の幟の使用状態を示す図である。
【符号の説明】
【００３９】
１，１１  幟材ケース
２，１２  幟材収容部
３，１３  支柱挿入部
２ａ，３ａ，１２ａ，１３ａ，１３ｂ  開口部
２ｂ，３ｂ  底部
４  幟材
４ａ  絵柄
５，１５  支柱
６，１０  幟
７  遊技台の上部壁面
８  取り付け部材
１５ａ  ストッパ
Ｍ  溶着部
【図１】
2005141097.tif 000003
【図２】
2005141097.tif 000004
【図３】
2005141097.tif 000005
【図４】
2005141097.tif 000006
【図５】
2005141097.tif 000007
【図６】
2005141097.tif 000008